(57)【要約】【課題】広角端でのＦナンバーが小さく、広角撮影に充分に適応し得るズームレンズ系、該ズームレンズ系を含む撮像装置及びカメラを提供する。【解決手段】物体側から像側へと順に、最物体側に位置する第１レンズ群を含み、全体として負のパワーを有する前群と、全体として正のパワーを有する後群とを備え、ズーミングの際に少なくとも前群が光軸に沿って移動し、第１レンズ群が３枚以下のレンズ素子で構成され、後群がズーミングの際に空気間隔を変化させないレンズ素子の間に開口絞りを備えるレンズ群を有し、後群を構成するレンズ群の一部のサブレンズ群が光軸に直交する方向に移動し、条件：０．１＜ＢＦ／ｆW＜２．０（ωW＞７２°、ＦＮＯW＜２．９、ＢＦ：広角端における全系のバックフォーカス、ｆW：広角端における全系の焦点距離、ωW：広角端における画角、ＦＮＯW：広角端におけるＦナンバー）を満足するズームレンズ系、撮像装置及びカメラ。【選択図】図１
2012042927.tif 000002
【特許請求の範囲】
【請求項１】
少なくとも１枚のレンズ素子で構成されたレンズ群を複数有するズームレンズ系であって、
物体側から像側へと順に、
最物体側に位置する第１レンズ群を含み、全体として負のパワーを有する前群と、
全体として正のパワーを有する後群と
を備え、
撮像時の広角端から望遠端へのズーミングの際に、少なくとも前記前群が光軸に沿って移動し、
前記第１レンズ群が、３枚以下のレンズ素子で構成され、
前記後群が、前記ズーミングの際に空気間隔を変化させないレンズ素子の間に開口絞りを備えるレンズ群を有し、
前記後群を構成するレンズ群の一部のサブレンズ群が、光軸に直交する方向に移動して像ぶれを光学的に補正し、
以下の条件（１）を満足する、ズームレンズ系：
０．１＜ＢＦ／ｆW＜２．０  ・・・（１）
ただし、
ωW＞７２°
ＦＮＯW＜２．９
ここで、
ＢＦ：広角端における全系のバックフォーカス、
ｆW：広角端における全系の焦点距離、
ωW：広角端における画角、
ＦＮＯW：広角端におけるＦナンバー
である。
【請求項２】
前群が、負のパワーを有するレンズ群を含み、該負のパワーを有するレンズ群が、２枚以上のレンズ素子で構成される、請求項１に記載のズームレンズ系。
【請求項３】
負のパワーを有するレンズ群の最物体側に配置されるレンズ素子が、負のパワーを有する、請求項２に記載のズームレンズ系。
【請求項４】
開口絞りを備えるレンズ群が、少なくとも１つの接合レンズ素子を含む、請求項１に記載のズームレンズ系。
【請求項５】
最像側に正のパワーを有するレンズ群が配置される、請求項１に記載のズームレンズ系。
【請求項６】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項７】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、高性能であるのは勿論のこと、小型で広角端でのＦナンバーが小さく、広角撮影に充分に適応し得るズームレンズ系、該ズームレンズ系を含む撮像装置、及び該撮像装置を備えたカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（ Ｃｏｍｐｌｅｍｅｎｔａｒｙ  Ｍｅｔａｌ−Ｏｘｉｄｅ  Ｓｅｍｉｃｏｎｄｕｃｔｏｒ） 等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、小型のデジタルカメラの需要が高まってきている。
【０００３】
前記デジタルカメラに対しては、持ち運びが容易であるという点から、さらなる小型化が求められている。このような小型のデジタルカメラを実現するために、従来より、種々の提案がなされている。
【０００４】
例えば、物体側から像側へと順に、全体として負のパワーを有する前群と、全体として正のパワーを有する後群とを備え、広角端から望遠端へのズーミング時に、最物体側のレンズ群が移動し、空気間隔を変化させないレンズ素子の間に開口絞りを備えるレンズ群を有し、前記後群に含まれるレンズ群の一部が像ぶれを補正するために移動するズームレンズが提案されている。
【０００５】
特許文献１は、物体側から像側へと順に、ズーミング時に移動する正負正正正の５つのレンズ群を有し、絞りが第３レンズ群を構成するレンズの間に配置され、像ぶれを補正するために第３レンズ群の一部が光軸と直交する方向へ移動するズームレンズを開示している。
【０００６】
特許文献２は、物体側から像側へと順に、ズーミング時に移動する正負正正の４つのレンズ群を有し、絞りが第３レンズ群を構成するレンズの間に配置され、像ぶれを補正するために第３レンズ群の一部が光軸と直交する方向へ移動するズームレンズを開示している。
【０００７】
特許文献３は、物体側から像側へと順に、ズーミング時に移動する正負正正の４つのレンズ群を有し、絞りが第３レンズ群を構成するレンズの間に配置され、像ぶれを補正するために第３レンズ群全体が光軸と直交する方向へ移動するズームレンズを開示している。
【０００８】
特許文献４は、物体側から像側へと順に、ズーミング時に移動する正負正正の４つのレンズ群を有し、絞りが第３レンズ群を構成するレンズの間に配置され、像ぶれを補正するために第３レンズ群の一部が光軸と直交する方向へ移動するズームレンズを開示している。
【０００９】
特許文献５は、物体側から像側へと順に、ズーミング時に移動する負正正正の４つのレンズ群を有し、絞りが第３レンズ群を構成するレンズの間に配置され、像ぶれを補正するために第３レンズ群の一部が光軸と直交する方向へ移動するズームレンズを開示している。
【先行技術文献】
【特許文献】
【００１０】
【特許文献１】特開２００６−１３３５８２号公報
【特許文献２】特開２００９−１６２８６２号公報
【特許文献３】特開２０１０−０１４８４４号公報
【特許文献４】特開２０１０−０３３０８７号公報
【特許文献５】特開平１１−２３１２２０号公報
【発明の概要】
【発明が解決しようとする課題】
【００１１】
しかしながら、特許文献１に開示のズームレンズは、広角端での最大画角が６０°程度であり、近年広角端での画角が大きくなっているコンパクトタイプのデジタルカメラに対する要求を満足し得るものではなく、レンズ全長が固定であるために、前玉径が増大してしまう。さらに、バックフォーカスが長いため、レンズ全長が長くなってしまい、小型化が不充分である。
【００１２】
特許文献２に開示のズームレンズは、広角端での最大画角が７０°であるものの、像高に対するレンズ全長の比が２０倍以上と非常に大きく、小型化が不充分である。
【００１３】
特許文献３に開示のズームレンズは、広角端での最大画角が７９°であるものの、像ぶれを補正するためにレンズ群全体を光軸と直交する方向へ移動させているため、この移動のための機構が大型化してしまう。また、最小のＦナンバーは３．２８であり、明るいレンズに対する要求を満足し得るものではない。
【００１４】
特許文献４に開示のズームレンズは、像高に対するレンズ全長の比が２０倍以上と非常に大きく、小型化が不充分である。また、広角端での最大画角が６０°であり、近年広角端での画角が大きくなっているコンパクトタイプのデジタルカメラに対する要求を満足し得るものではない。
【００１５】
特許文献５に開示のズームレンズは、広角端での最大画角が７３°であるものの、最大のＦナンバーが３．８と大きく、明るいレンズに対する要求を満足し得るものではない。また、バックフォーカスが長いため、小型化が不充分である。
【００１６】
本発明の目的は、高性能であるのは勿論のこと、小型で広角端でのＦナンバーが小さく、広角撮影に充分に適応し得るズームレンズ系、該ズームレンズ系を含む撮像装置、及び該撮像装置を備えたカメラを提供することである。
【課題を解決するための手段】
【００１７】
上記目的の１つは、以下のズームレンズ系により達成される。すなわち本発明は、
少なくとも１枚のレンズ素子で構成されたレンズ群を複数有するズームレンズ系であって、
物体側から像側へと順に、
最物体側に位置する第１レンズ群を含み、全体として負のパワーを有する前群と、
全体として正のパワーを有する後群と
を備え、
撮像時の広角端から望遠端へのズーミングの際に、少なくとも前記前群が光軸に沿って移動し、
前記第１レンズ群が、３枚以下のレンズ素子で構成され、
前記後群が、前記ズーミングの際に空気間隔を変化させないレンズ素子の間に開口絞りを備えるレンズ群を有し、
前記後群を構成するレンズ群の一部のサブレンズ群が、光軸に直交する方向に移動して像ぶれを光学的に補正し、
以下の条件（１）：
０．１＜ＢＦ／ｆW＜２．０  ・・・（１）
（ただし、
ωW＞７２°
ＦＮＯW＜２．９
ここで、
ＢＦ：広角端における全系のバックフォーカス、
ｆW：広角端における全系の焦点距離、
ωW：広角端における画角、
ＦＮＯW：広角端におけるＦナンバー
である）
を満足する、ズームレンズ系
に関する。
【００１８】
上記目的の１つは、以下の撮像装置により、達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、
少なくとも１枚のレンズ素子で構成されたレンズ群を複数有し、
物体側から像側へと順に、
最物体側に位置する第１レンズ群を含み、全体として負のパワーを有する前群と、
全体として正のパワーを有する後群と
を備え、
撮像時の広角端から望遠端へのズーミングの際に、少なくとも前記前群が光軸に沿って移動し、
前記第１レンズ群が、３枚以下のレンズ素子で構成され、
前記後群が、前記ズーミングの際に空気間隔を変化させないレンズ素子の間に開口絞りを備えるレンズ群を有し、
前記後群を構成するレンズ群の一部のサブレンズ群が、光軸に直交する方向に移動して像ぶれを光学的に補正し、
以下の条件（１）：
０．１＜ＢＦ／ｆW＜２．０  ・・・（１）
（ただし、
ωW＞７２°
ＦＮＯW＜２．９
ここで、
ＢＦ：広角端における全系のバックフォーカス、
ｆW：広角端における全系の焦点距離、
ωW：広角端における画角、
ＦＮＯW：広角端におけるＦナンバー
である）
を満足するズームレンズ系である、撮像装置
に関する。
【００１９】
上記目的の１つは、以下のカメラにより、達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
最物体側に位置する第１レンズ群を含み、全体として負のパワーを有する前群と、
全体として正のパワーを有する後群と
を備え、
撮像時の広角端から望遠端へのズーミングの際に、少なくとも前記前群が光軸に沿って移動し、
前記第１レンズ群が、３枚以下のレンズ素子で構成され、
前記後群が、前記ズーミングの際に空気間隔を変化させないレンズ素子の間に開口絞りを備えるレンズ群を有し、
前記後群を構成するレンズ群の一部のサブレンズ群が、光軸に直交する方向に移動して像ぶれを光学的に補正し、
以下の条件（１）：
０．１＜ＢＦ／ｆW＜２．０  ・・・（１）
（ただし、
ωW＞７２°
ＦＮＯW＜２．９
ここで、
ＢＦ：広角端における全系のバックフォーカス、
ｆW：広角端における全系の焦点距離、
ωW：広角端における画角、
ＦＮＯW：広角端におけるＦナンバー
である）
を満足するズームレンズ系である、カメラ
に関する。
【発明の効果】
【００２０】
本発明によれば、高性能であるのは勿論のこと、小型で広角端でのＦナンバーが小さく、広角撮影に充分に適応し得るズームレンズ系、該ズームレンズ系を含む撮像装置、及び該撮像装置を備えたカメラを提供することができる。
【図面の簡単な説明】
【００２１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７に係るデジタルスチルカメラの概略構成図
【発明を実施するための形態】
【００２２】
（実施の形態１〜６）
図１、４、７、１０、１３及び１６は、各々実施の形態１、２、３、４、５及び６に係るズームレンズ系のレンズ配置図であり、いずれも無限遠合焦状態にあるズームレンズ系を表している。
【００２３】
各図において、（ａ）図は広角端（最短焦点距離状態：焦点距離ｆW）のレンズ構成、（ｂ）図は中間位置（略中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００２４】
なお図１、４、７、１０、１３及び１６において、特定の面に付されたアスタリスク＊ は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。さらに図１、４、７、１３及び１６に示すように、第３レンズ群Ｇ３において、撮像時の広角端から望遠端へのズーミングの際に空気間隔を変化させないレンズ素子の間に開口絞りＡが設けられている。また図１０に示すように、第２レンズ群Ｇ２において、ズーミングの際に空気間隔を変化させないレンズ素子の間に開口絞りＡが設けられている。開口絞りＡは、ズーミングの際に、該開口絞りＡの直ぐ物体側及び直ぐ像側に位置する、ズーミングの際に空気間隔を変化させない２枚のレンズ素子と一体的に光軸上を移動する。
【００２５】
実施の形態１に係るズームレンズ系は、物体側から像側へと順に、前群ＧＡと後群ＧＢとからなる。前群ＧＡは、物体側から像側へと順に、第１レンズ群Ｇ１と第２レンズ群Ｇ２とからなる。後群ＧＢは、物体側から像側へと順に、第３レンズ群Ｇ３と第４レンズ群Ｇ４とからなる。
【００２６】
図１に示すように、第１レンズ群Ｇ１は、正のパワーを有する両凸形状の第１レンズ素子Ｌ１のみからなる。
【００２７】
第２レンズ群Ｇ２は、物体側から像側へと順に、負のパワーを有する両凹形状の第２レンズ素子Ｌ２と、負のパワーを有し、物体側に凸面を向けた負メニスカス形状の第３レンズ素子Ｌ３と、正のパワーを有し、物体側に凸面を向けた正メニスカス形状の第４レンズ素子Ｌ４とからなる。第３レンズ素子Ｌ３は、その両面が非球面である。
【００２８】
第３レンズ群Ｇ３は、物体側から像側へと順に、正のパワーを有し、物体側に凸面を向けた正メニスカス形状の第５レンズ素子Ｌ５と、正のパワーを有する両凸形状の第６レンズ素子Ｌ６と、負のパワーを有する両凹形状の第７レンズ素子Ｌ７と、開口絞りＡと、負のパワーを有し、像側に凸面を向けた負メニスカス形状の第８レンズ素子Ｌ８と、正のパワーを有する両凸形状の第９レンズ素子Ｌ９とからなる。これらのうち、第６レンズ素子Ｌ６と第７レンズ素子Ｌ７とは接合されている。また、第６レンズ素子Ｌ６は、その物体側面が非球面である。
【００２９】
第４レンズ群Ｇ４は、正のパワーを有し、物体側に凸面を向けた正メニスカス形状の第１０レンズ素子Ｌ１０のみからなる。
【００３０】
実施の形態１に係るズームレンズ系において、撮像時の広角端から望遠端へのズーミングの際に、第１レンズ群Ｇ１は、像側に凸の軌跡を描いて僅かに像側へ移動し、第２レンズ群Ｇ２は、像側に凸の軌跡を描いて像側へ移動し、第３レンズ群Ｇ３は、単調に物体側へ移動し、第４レンズ群Ｇ４は、単調に物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と像面Ｓとの間隔が増大するように、各レンズ群が光軸に沿ってそれぞれ移動する。
【００３１】
また、無限遠合焦状態から近接物体合焦状態へのフォーカシングの際には、第４レンズ群Ｇ４が光軸に沿って物体側へ移動する。
【００３２】
実施の形態１に係るズームレンズ系において、第３レンズ群Ｇ３の一部のサブレンズ群である第５レンズ素子Ｌ５と第６レンズ素子Ｌ６と第７レンズ素子Ｌ７とを、光軸に直交する方向に移動させることによって、全系の振動による像点移動を補正する、すなわち、手ぶれ、振動等による像ぶれを光学的に補正することができる。
【００３３】
本実施の形態１に係るズームレンズ系において、また後述する実施の形態２〜６に係るズームレンズ系において、全系の振動による像点移動を補正する際にサブレンズ群が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００３４】
なお、本明細書において、レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００３５】
実施の形態２に係るズームレンズ系は、物体側から像側へと順に、前群ＧＡと後群ＧＢとからなる。前群ＧＡは、物体側から像側へと順に、第１レンズ群Ｇ１と第２レンズ群Ｇ２とからなる。後群ＧＢは、物体側から像側へと順に、第３レンズ群Ｇ３と第４レンズ群Ｇ４とからなる。
【００３６】
図４に示すように、第１レンズ群Ｇ１は、物体側から像側へと順に、負のパワーを有し、物体側に凸面を向けた負メニスカス形状の第１レンズ素子Ｌ１と、正のパワーを有し、物体側に凸面を向けた正メニスカス形状の第２レンズ素子Ｌ２とからなる。
【００３７】
第２レンズ群Ｇ２は、物体側から像側へと順に、負のパワーを有し、物体側に凸面を向けた負メニスカス形状の第３レンズ素子Ｌ３と、負のパワーを有する両凹形状の第４レンズ素子Ｌ４と、正のパワーを有し、物体側に凸面を向けた正メニスカス形状の第５レンズ素子Ｌ５とからなる。第３レンズ素子Ｌ３は、その両面が非球面である。
【００３８】
第３レンズ群Ｇ３は、物体側から像側へと順に、正のパワーを有し、物体側に凸面を向けた正メニスカス形状の第６レンズ素子Ｌ６と、正のパワーを有する両凸形状の第７レンズ素子Ｌ７と、負のパワーを有する両凹形状の第８レンズ素子Ｌ８と、開口絞りＡと、負のパワーを有し、像側に凸面を向けた負メニスカス形状の第９レンズ素子Ｌ９と、正のパワーを有する両凸形状の第１０レンズ素子Ｌ１０とからなる。これらのうち、第７レンズ素子Ｌ７と第８レンズ素子Ｌ８とは接合されている。また、第６レンズ素子Ｌ６は、その物体側面が非球面であり、第９レンズ素子Ｌ９は、その両面が非球面である。
【００３９】
第４レンズ群Ｇ４は、正のパワーを有し、物体側に凸面を向けた正メニスカス形状の第１１レンズ素子Ｌ１１のみからなる。また、第１１レンズ素子Ｌ１１は、その両面が非球面である。
【００４０】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、単調に物体側へ移動し、第４レンズ群Ｇ４は、物体側に凸の軌跡を描いて僅かに物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と像面Ｓとの間隔が増大するように、各レンズ群が光軸に沿ってそれぞれ移動する。
【００４１】
また、無限遠合焦状態から近接物体合焦状態へのフォーカシングの際には、第４レンズ群Ｇ４が光軸に沿って物体側へ移動する。
【００４２】
実施の形態２に係るズームレンズ系において、第３レンズ群Ｇ３の一部のサブレンズ群である第９レンズ素子Ｌ９と第１０レンズ素子Ｌ１０とを、光軸に直交する方向に移動させることによって、全系の振動による像点移動を補正する、すなわち、手ぶれ、振動等による像ぶれを光学的に補正することができる。
【００４３】
実施の形態３に係るズームレンズ系は、物体側から像側へと順に、前群ＧＡと後群ＧＢとからなる。前群ＧＡは、物体側から像側へと順に、第１レンズ群Ｇ１と第２レンズ群Ｇ２とからなる。後群ＧＢは、物体側から像側へと順に、第３レンズ群Ｇ３と第４レンズ群Ｇ４とからなる。
【００４４】
図７に示すように、第１レンズ群Ｇ１は、正のパワーを有し、物体側に凸面を向けた正メニスカス形状の第１レンズ素子Ｌ１のみからなる。
【００４５】
第２レンズ群Ｇ２は、物体側から像側へと順に、負のパワーを有する両凹形状の第２レンズ素子Ｌ２と、負のパワーを有し、物体側に凸面を向けた負メニスカス形状の第３レンズ素子Ｌ３と、正のパワーを有し、物体側に凸面を向けた正メニスカス形状の第４レンズ素子Ｌ４とからなる。第３レンズ素子Ｌ３は、その両面が非球面である。
【００４６】
第３レンズ群Ｇ３は、物体側から像側へと順に、正のパワーを有し、物体側に凸面を向けた正メニスカス形状の第５レンズ素子Ｌ５と、正のパワーを有する両凸形状の第６レンズ素子Ｌ６と、負のパワーを有する両凹形状の第７レンズ素子Ｌ７と、開口絞りＡと、負のパワーを有し、像側に凸面を向けた負メニスカス形状の第８レンズ素子Ｌ８と、正のパワーを有する両凸形状の第９レンズ素子Ｌ９とからなる。これらのうち、第６レンズ素子Ｌ６と第７レンズ素子Ｌ７とは接合されている。また、第６レンズ素子Ｌ６は、その物体側面が非球面であり、第８レンズ素子Ｌ８は、その両面が非球面である。
【００４７】
第４レンズ群Ｇ４は、正のパワーを有し、物体側に凸面を向けた正メニスカス形状の第１０レンズ素子Ｌ１０のみからなる。
【００４８】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に像側へ移動し、第３レンズ群Ｇ３は、単調に物体側へ移動し、第４レンズ群Ｇ４は、単調に物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と像面Ｓとの間隔が増大するように、各レンズ群が光軸に沿ってそれぞれ移動する。
【００４９】
また、無限遠合焦状態から近接物体合焦状態へのフォーカシングの際には、第４レンズ群Ｇ４が光軸に沿って物体側へ移動する。
【００５０】
実施の形態３に係るズームレンズ系において、第３レンズ群Ｇ３の一部のサブレンズ群である第８レンズ素子Ｌ８と第９レンズ素子Ｌ９とを、光軸に直交する方向に移動させることによって、全系の振動による像点移動を補正する、すなわち、手ぶれ、振動等による像ぶれを光学的に補正することができる。
【００５１】
実施の形態４に係るズームレンズ系は、物体側から像側へと順に、前群ＧＡと後群ＧＢとからなる。前群ＧＡは、第１レンズ群Ｇ１のみからなる。後群ＧＢは、物体側から像側へと順に、第２レンズ群Ｇ２と第３レンズ群Ｇ３とからなる。
【００５２】
図１０に示すように、第１レンズ群Ｇ１は、物体側から像側へと順に、負のパワーを有し、物体側に凸面を向けた負メニスカス形状の第１レンズ素子Ｌ１と、負のパワーを有し、物体側に凸面を向けた負メニスカス形状の第２レンズ素子Ｌ２と、正のパワーを有し、物体側に凸面を向けた正メニスカス形状の第３レンズ素子Ｌ３とからなる。第２レンズ素子Ｌ２は、その両面が非球面である。
【００５３】
第２レンズ群Ｇ２は、物体側から像側へと順に、正のパワーを有し、物体側に凸面を向けた正メニスカス形状の第４レンズ素子Ｌ４と、正のパワーを有する両凸形状の第５レンズ素子Ｌ５と、負のパワーを有する両凹形状の第６レンズ素子Ｌ６と、開口絞りＡと、負のパワーを有し、像側に凸面を向けた負メニスカス形状の第７レンズ素子Ｌ７と、正のパワーを有する両凸形状の第８レンズ素子Ｌ８とからなる。これらのうち、第５レンズ素子Ｌ５と第６レンズ素子Ｌ６とは接合されている。また、第５レンズ素子Ｌ５は、その物体側面が非球面であり、第７レンズ素子Ｌ７は、その両面が非球面である。
【００５４】
第３レンズ群Ｇ３は、正のパワーを有し、物体側に凸面を向けた正メニスカス形状の第９レンズ素子Ｌ９のみからなる。
【００５５】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と像面Ｓとの間隔が減少するように、各レンズ群が光軸に沿ってそれぞれ移動する。
【００５６】
また、無限遠合焦状態から近接物体合焦状態へのフォーカシングの際には、第３レンズ群Ｇ３が光軸に沿って物体側へ移動する。
【００５７】
実施の形態４に係るズームレンズ系において、第２レンズ群Ｇ２の一部のサブレンズ群である第７レンズ素子Ｌ７と第８レンズ素子Ｌ８とを、光軸に直交する方向に移動させることによって、全系の振動による像点移動を補正する、すなわち、手ぶれ、振動等による像ぶれを光学的に補正することができる。
【００５８】
実施の形態５に係るズームレンズ系は、物体側から像側へと順に、前群ＧＡと後群ＧＢとからなる。前群ＧＡは、物体側から像側へと順に、第１レンズ群Ｇ１と第２レンズ群Ｇ２とからなる。後群ＧＢは、物体側から像側へと順に、第３レンズ群Ｇ３と第４レンズ群Ｇ４とからなる。
【００５９】
図１３に示すように、第１レンズ群Ｇ１は、正のパワーを有し、物体側に凸面を向けた正メニスカス形状の第１レンズ素子Ｌ１のみからなる。
【００６０】
第２レンズ群Ｇ２は、物体側から像側へと順に、負のパワーを有し、物体側に凸面を向けた負メニスカス形状の第２レンズ素子Ｌ２と、負のパワーを有し、物体側に凸面を向けた負メニスカス形状の第３レンズ素子Ｌ３と、正のパワーを有し、物体側に凸面を向けた正メニスカス形状の第４レンズ素子Ｌ４とからなる。第３レンズ素子Ｌ３は、その両面が非球面である。
【００６１】
第３レンズ群Ｇ３は、物体側から像側へと順に、正のパワーを有し、物体側に凸面を向けた正メニスカス形状の第５レンズ素子Ｌ５と、正のパワーを有する両凸形状の第６レンズ素子Ｌ６と、負のパワーを有する両凹形状の第７レンズ素子Ｌ７と、開口絞りＡと、負のパワーを有し、像側に凸面を向けた負メニスカス形状の第８レンズ素子Ｌ８と、正のパワーを有する両凸形状の第９レンズ素子Ｌ９とからなる。これらのうち、第６レンズ素子Ｌ６と第７レンズ素子Ｌ７とは接合されている。また、第６レンズ素子Ｌ６は、その物体側面が非球面であり、第８レンズ素子Ｌ８は、その両面が非球面である。
【００６２】
第４レンズ群Ｇ４は、正のパワーを有し、物体側に凸面を向けた正メニスカス形状の第１０レンズ素子Ｌ１０のみからなる。
【００６３】
実施の形態５に係るズームレンズ系において、撮像時の広角端から望遠端へのズーミングの際に、第１レンズ群Ｇ１は、像側に凸の軌跡を描いて僅かに像側へ移動し、第２レンズ群Ｇ２は、像側に凸の軌跡を描いて像側へ移動し、第３レンズ群Ｇ３は、単調に物体側へ移動し、第４レンズ群Ｇ４は、単調に物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と像面Ｓとの間隔が増大するように、各レンズ群が光軸に沿ってそれぞれ移動する。
【００６４】
また、無限遠合焦状態から近接物体合焦状態へのフォーカシングの際には、第４レンズ群Ｇ４が光軸に沿って物体側へ移動する。
【００６５】
実施の形態５に係るズームレンズ系において、第３レンズ群Ｇ３の一部のサブレンズ群である第８レンズ素子Ｌ８と第９レンズ素子Ｌ９とを、光軸に直交する方向に移動させることによって、全系の振動による像点移動を補正する、すなわち、手ぶれ、振動等による像ぶれを光学的に補正することができる。
【００６６】
実施の形態６に係るズームレンズ系は、物体側から像側へと順に、前群ＧＡと後群ＧＢとからなる。前群ＧＡは、物体側から像側へと順に、第１レンズ群Ｇ１と第２レンズ群Ｇ２とからなる。後群ＧＢは、物体側から像側へと順に、第３レンズ群Ｇ３と第４レンズ群Ｇ４と第５レンズ群Ｇ５とからなる。
【００６７】
図１６に示すように、第１レンズ群Ｇ１は、正のパワーを有し、物体側に凸面を向けた正メニスカス形状の第１レンズ素子Ｌ１のみからなる。
【００６８】
第２レンズ群Ｇ２は、物体側から像側へと順に、負のパワーを有し、物体側に凸面を向けた負メニスカス形状の第２レンズ素子Ｌ２と、負のパワーを有する両凹形状の第３レンズ素子Ｌ３と、正のパワーを有し、物体側に凸面を向けた正メニスカス形状の第４レンズ素子Ｌ４とからなる。第３レンズ素子Ｌ３は、その両面が非球面である。
【００６９】
第３レンズ群Ｇ３は、物体側から像側へと順に、正のパワーを有し、物体側に凸面を向けた正メニスカス形状の第５レンズ素子Ｌ５と、正のパワーを有する両凸形状の第６レンズ素子Ｌ６と、負のパワーを有する両凹形状の第７レンズ素子Ｌ７と、開口絞りＡと、負のパワーを有し、像側に凸面を向けた負メニスカス形状の第８レンズ素子Ｌ８と、正のパワーを有する両凸形状の第９レンズ素子Ｌ９とからなる。これらのうち、第６レンズ素子Ｌ６と第７レンズ素子Ｌ７とは接合されている。また、第６レンズ素子Ｌ６は、その物体側面が非球面であり、第８レンズ素子Ｌ８は、その両面が非球面である。
【００７０】
第４レンズ群Ｇ４は、負のパワーを有する両凹形状の第１０レンズ素子Ｌ１０のみからなる。
【００７１】
第５レンズ群Ｇ５は、正のパワーを有し、物体側に凸面を向けた正メニスカス形状の第１１レンズ素子Ｌ１１のみからなる。
【００７２】
実施の形態６に係るズームレンズ系において、撮像時の広角端から望遠端へのズーミングの際に、第１レンズ群Ｇ１は、像側に凸の軌跡を描いて像側へ移動し、第２レンズ群Ｇ２は、像側に凸の軌跡を描いて像側へ移動し、第３レンズ群Ｇ３は、単調に物体側へ移動し、第４レンズ群Ｇ４は、物体側に凸の軌跡を描いて僅かに像側へ移動し、第５レンズ群Ｇ５は、物体側に凸の軌跡を描いて僅かに物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５の間隔が減少し、第５レンズ群Ｇ５と像面Ｓとの間隔が増大するように、各レンズ群が光軸に沿ってそれぞれ移動する。
【００７３】
また、無限遠合焦状態から近接物体合焦状態へのフォーカシングの際には、第４レンズ群Ｇ４が光軸に沿って像側へと移動する。
【００７４】
実施の形態６に係るズームレンズ系において、第３レンズ群Ｇ３の一部のサブレンズ群である第８レンズ素子Ｌ８と第９レンズ素子Ｌ９とを、光軸に直交する方向に移動させることによって、全系の振動による像点移動を補正する、すなわち、手ぶれ、振動等による像ぶれを光学的に補正することができる。
【００７５】
実施の形態１〜６に係るズームレンズ系では、物体側から像側へと順に、全体として負のパワーを有する前群と、全体として正のパワーを有する後群とを備え、撮像時の広角端から望遠端へのズーミングの際に、少なくとも前群が光軸に沿って移動し、前群のうち最物体側に位置する第１レンズ群が３枚以下のレンズ素子で構成され、後群が、ズーミングの際に空気間隔を変化させないレンズ素子の間に開口絞りを備えるレンズ群を有しているので、開口絞りの直ぐ物体側及び直ぐ像側に位置するレンズ素子の径を小さくすることができる。
【００７６】
特に、開口絞りの直ぐ物体側及び直ぐ像側に位置するレンズ素子の径の小型化は、ズーミングの際に該開口絞りと一体となって移動するレンズ群を構成するレンズ素子の径の小型化に有効である。
【００７７】
また、前記前群を構成するレンズ素子の径よりも、前記後群を構成するレンズ素子の径のほうが小さいので、像ぶれを補正するためのレンズ群の径を小さくすることができる。
【００７８】
さらに、前記像ぶれを補正するためのレンズ群が、ズーミングの際に開口絞りと一体となって移動するレンズ群の一部のサブレンズ群であるので、より一層径の小さいレンズ素子で像ぶれの補正が可能となる。
【００７９】
特に、実施の形態２〜６に係るズームレンズ系では、前記像ぶれを補正するためのサブレンズ群が、開口絞りよりも像側に位置している。広角撮影が可能な実施の形態２〜６に係るズームレンズ系で、開口絞りよりも物体側のレンズ素子の軸外光束が高い位置を通過しても、該サブレンズ群の径が小さいので、ズームレンズ系全体の小型化を図ることができる。
【００８０】
実施の形態１〜６に係るズームレンズ系では、前群が負のパワーを有するレンズ群を含み、該負のパワーを有するレンズ群が２枚以上のレンズ素子で構成される。前記負のパワーを有するレンズ群が１枚のレンズ素子で構成されていると、ズーミングの際の収差の変動が大きくなりすぎるため、ズームレンズ系を高性能にすることが困難である。また、前記負のパワーを有するレンズ群を５枚以下のレンズ素子で構成した場合には、レンズ全長を短くし、ズームレンズ系の小型化を図るのにより有効である。さらに、前記負のパワーを有するレンズ群が４枚以下のレンズ素子で構成され、そのうち正のパワーを有するレンズ素子が１枚又は２枚含まれる場合には、さらに小型で高性能のズームレンズ系を実現することができる。
【００８１】
また、前記負のパワーを有するレンズ群の最物体側に配置されるレンズ素子が負のパワーを有するので、広角化が容易になり、ズーミングの際のバックフォーカスを容易に確保することができる。
【００８２】
実施の形態１〜６に係るズームレンズ系では、開口絞りを備えるレンズ群が少なくとも１つの接合レンズ素子を含んでいるので、複数のレンズ群の保持機構が簡素化され、開口絞りを備えるレンズ群の小型化を容易に図ることができる。
【００８３】
実施の形態１〜６に係るズームレンズ系では、最像側に正のパワーを有するレンズ群が配置されているので、撮像素子へ入射する光のテレセントリック性を向上させることができ、撮像素子の構造に起因する周辺光量の低下を抑制することが可能となる。
【００８４】
なお、実施の形態１〜６に係るズームレンズ系においては、像面Ｓの物体側（像面Ｓと最像側に配置されたレンズ群の最像側レンズ面との間）が空気のみで構成されているが、光学的ローパスフィルタや撮像素子のフェースプレート等と等価な略平行平板が設けられていてもよい。
【００８５】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００８６】
以下、例えば実施の形態１〜６に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００８７】
例えば実施の形態１〜６に係るズームレンズ系のごときズームレンズ系は、その小型化を有効に図るために、以下の条件（１）を満足する。
０．１＜ＢＦ／ｆW＜２．０  ・・・（１）
ただし、
ωW＞７２°
ＦＮＯW＜２．９
ここで、
ＢＦ：広角端における全系のバックフォーカス、
ｆW：広角端における全系の焦点距離、
ωW：広角端における画角、
ＦＮＯW：広角端におけるＦナンバー
である。
【００８８】
条件（１）は、ズームレンズ系を構成するレンズ素子のうち最像側に位置するパワーを有するレンズ素子の像側面と、像面との、空気換算での距離を表すバックフォーカス（ＢＦ）を規定する条件である。条件（１）の上限を上回ると、バックフォーカスが長くなるため、レンズ全長が長くなりすぎ、ズームレンズ系の大型化を招く。逆に、条件（１）の下限を下回ると、像面と最像側に位置するパワーを有するレンズ素子の像側面とが近くなりすぎて、最像側に位置するパワーを有するレンズ素子や撮像素子の保持機構を配置することが困難となる。
【００８９】
前記条件（１）の効果をさらに高めるには、以下の条件（１）’及び（１）’’の少なくとも１つを満足することが望ましい。
０．２＜ＢＦ／ｆW  ・・・（１）’
ＢＦ／ｆW＜１．７  ・・・（１）’’
【００９０】
また、例えば実施の形態１〜６に係るズームレンズ系のごときズームレンズ系は、その小型化を有効に図るために、以下の条件（２）を満足することが好ましい。
０．０１＜ＴＨｓ／Ｒｍｉｎ＜1．００  ・・・（２）
ここで、
ＴＨｓ：開口絞りの最も近い物体側に位置する面と、開口絞りとの中心間隔、
Ｒｍｉｎ：開口絞りの最も近い物体側に位置し、撮像時の広角端から望遠端へのズーミングの際に移動するレンズ群の中で、負のパワーを有する面のうち曲率半径が正で最小の値
である。
【００９１】
なお、前記条件（２）及び後述する条件（３）において、開口絞りの最も近い物体側に位置し、撮像時の広角端から望遠端へのズーミングの際に移動するレンズ群は、レンズ群全体であってもよく、レンズ群の一部のサブレンズ群であってもよい。
【００９２】
条件（２）は、開口絞りの最も近い物体側に位置してズーミングの際に移動するレンズ群の中で、負のパワーを有する面のうち曲率半径が正で最小の値と、開口絞りの最も近い物体側に位置する面と開口絞りとの中心間隔との比を規定する条件である。条件（２）の上限を上回ると、前記曲率半径が小さくなるため、フレアが大きくなってしまい、画質の劣化を招く。逆に、条件（２）の下限を下回ると、前記曲率半径が大きくなるため、像面湾曲が大きくなってしまう。
【００９３】
前記条件（２）の効果をさらに高めるには、以下の条件（２）’及び（２）’’の少なくとも１つを満足することが望ましい。
０．０５＜ＴＨｓ／Ｒｍｉｎ  ・・・（２）’
ＴＨｓ／Ｒｍｉｎ＜０．７０  ・・・（２）’’
【００９４】
また、例えば実施の形態１〜６に係るズームレンズ系のごときズームレンズ系は、その小型化を有効に図るために、以下の条件（３）を満足することが好ましい。
０．０１＜ＴＨ＿ＧＡ／Ｇ＿ＳＵＭ＜１．００  ・・・（３）
ここで、
ＴＨ＿ＧＡ：開口絞りの最も近い物体側に位置し、撮像時の広角端から望遠端へのズーミングの際に移動するレンズ群と、該レンズ群の最も近い物体側に位置するレンズ群との光軸上での最小間隔、
Ｇ＿ＳＵＭ：開口絞りの最も近い物体側に位置し、撮像時の広角端から望遠端へのズーミングの際に移動するレンズ群の光軸上での厚み
である。
【００９５】
条件（３）は、開口絞りの最も近い物体側に位置してズーミングの際に移動するレンズ群と該レンズ群の最も近い物体側に位置するレンズ群との光軸上での最小間隔と、開口絞りの最も近い物体側に位置してズーミングの際に移動するレンズ群の光軸上での厚みとの比を規定する条件である。条件（３）の上限を上回ると、前記ズーミングの際に移動するレンズ群の厚みが小さく、レンズ群が薄くなり過ぎて、収差補正が困難となる。逆に、条件（３）の下限を下回ると、前記ズーミングの際に移動するレンズ群の厚みが大きくなり過ぎて、沈胴時のレンズ鏡筒の厚みが大きくなってしまう。
【００９６】
前記条件（３）の効果をさらに高めるには、以下の条件（３）’及び（３）’’の少なくとも１つを満足することが望ましい。
０．０５＜ＴＨ＿ＧＡ／Ｇ＿ＳＵＭ  ・・・（３）’
ＴＨ＿ＧＡ／Ｇ＿ＳＵＭ＜０．３０  ・・・（３）’’
【００９７】
（実施の形態７）
図１９は、実施の形態７に係るデジタルスチルカメラの概略構成図である。図１９において、デジタルスチルカメラは、ズームレンズ系１とＣＣＤである撮像素子２とを含む撮像装置と、液晶モニタ３と、筐体４とから構成される。ズームレンズ系１として、実施の形態４に係るズームレンズ系が用いられている。図１９において、ズームレンズ系１は、物体側から像側へと順に、第１レンズ群Ｇ１と、開口絞りＡを含む第２レンズ群Ｇ２と、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９８】
鏡筒は、主鏡筒５と、移動鏡筒６と、円筒カム７とで構成されている。円筒カム７を回転させると、第１レンズ群Ｇ１、開口絞りＡを含む第２レンズ群Ｇ２及び第３レンズ群Ｇ３が撮像素子２を基準にした所定の位置に移動し、広角端から望遠端までの変倍を行うことができる。第３レンズ群Ｇ３はフォーカス調整用駆動装置により光軸方向に移動可能である。
【００９９】
像ぶれ補正時には、像ぶれ補正のための第２レンズ群Ｇ２の一部のサブレンズ群が、像ぶれ補正レンズ用駆動装置８により光軸に直交する方向に移動し、全系の振動による像点移動が補正される。
【０１００】
こうして、デジタルスチルカメラに実施の形態４に係るズームレンズ系を用いることにより、解像度及び像面湾曲を補正する能力が高く、非使用時のレンズ全長が短い小型のデジタルスチルカメラを提供することができる。なお、図１９に示したデジタルスチルカメラには、実施の形態４に係るズームレンズ系の替わりに実施の形態１〜３、５及び６に係るズームレンズ系のいずれかを用いてもよい。また、図１９に示したデジタルスチルカメラの光学系は、動画像を対象とするデジタルビデオカメラに用いることもできる。この場合、静止画像だけでなく、解像度の高い動画像を撮影することができる。
【０１０１】
なお、本実施の形態７に係るデジタルスチルカメラでは、ズームレンズ系１として実施の形態１〜６に係るズームレンズ系を示したが、これらのズームレンズ系は、全てのズーミング域を使用する必要はない。すなわち、所望のズーミング域に応じて、光学性能が確保されている範囲を切り出し、実施の形態１〜６で説明したズームレンズ系よりも低倍率のズームレンズ系として使用してもよい。
【０１０２】
さらに、実施の形態７では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態７において、第２レンズ群Ｇ２全体、第３レンズ群Ｇ３全体、第２レンズ群Ｇ２の一部等のズームレンズ系を構成している一部のレンズ群を、沈胴時に光軸上から退避させる、いわゆるスライディング鏡筒にズームレンズ系を適用してもよい。
【０１０３】
また、本実施の形態７に係るデジタルスチルカメラでは、実施の形態１〜６に係るズームレンズ系が用いられたが、これに限られない。
【０１０４】
以上説明した実施の形態１〜６に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等の撮像装置やこれらのカメラを備えるカメラシステムに適用することもできる。
【０１０５】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2012042927.tif 000003
ここで、ｈは光軸からの高さ、κは円錐定数、Ａ４、Ａ６、Ａ８及びＡ１０は、それぞれ４次、６次、８次及び１０次の非球面係数である。
【０１０６】
図２、５、８、１１、１４及び１７は、各々実施の形態１、２、３、４、５及び６に係るズームレンズ系の縦収差図である。
【０１０７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０８】
また図３、６、９、１２、１５及び１８は、各々実施の形態１、２、３、４、５及び６に係るズームレンズ系の望遠端における横収差図である。
【０１０９】
各横収差図において、上段３つの収差図は、望遠端における像ぶれ補正を行っていない基本状態、下段３つの収差図は、像ぶれ補正のためのサブレンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸とサブレンズ群の光軸とを含む平面としている。
【０１１０】
なお、各実施例のズームレンズ系について、望遠端における、０．６°の像ぶれ補正状態を補正するサブレンズ群の光軸と垂直な方向への移動量は、以下に示すとおりである。
実施例    移動量（ｍｍ）
１        ０．１８
２        ０．４９
３        ０．４７
４        ０．１５
５        ０．２０
６        ０．３０
【０１１１】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、約０．６°までの像ぶれ補正角に対して、充分な像ぶれ補正を行うことが可能である。
【０１１２】
（数値実施例１）
数値実施例１のズームレンズ系は、図１に示した実施の形態１に対応する。数値実施例１のズームレンズ系の面データを表１に、非球面データを表２に、各種データを表３に、単レンズデータを表４に、ズームレンズ群データを表５に、ズームレンズ群倍率を表６に示す。
【０１１３】
表  １（面データ）
面番号         r           d           nd         vd
物面             ∞
1         43.07000     2.42900     1.86746    41.6 
2       -171.16200        可変
3       -145.35100     0.40000     1.79796    30.0 
4         11.48700     2.39000 
5*        78.37800     0.50000     1.69384    53.1 
6*         8.10400     1.54900 
7         10.90800     1.61400     1.99000    19.0 
8         21.16500        可変
9          6.60700     1.72900     1.88312    40.7 
10         49.03600     0.15000 
11*         6.55200     1.62200     1.77200    50.0 
12        -26.73400     0.00800     1.56732    42.8 
13        -26.73400     0.30000     1.91193    25.9 
14          4.00400     1.44400 
15(絞り)           ∞     2.83400
16         -4.72500     0.40000     1.48700    82.0 
17         -6.85300     0.10000 
18         32.39500     1.11500     1.48778    81.8 
19         -9.16300        可変
20         10.76400     1.27600     1.59684    46.7 
21         37.04100        可変
像面             ∞
【０１１４】
表  ２（非球面データ）
第5面
K= 4.81915E+00, A4=-1.40483E-04, A6= 2.44424E-06, A8= 2.91612E-08
A10=-5.16642E-10 
第6面
K= 0.00000E+00, A4=-2.07167E-04, A6=-2.33689E-06, A8= 2.03945E-07
A10=-3.22758E-09 
第11面
K= 0.00000E+00, A4=-3.44900E-04, A6=-7.00104E-06, A8=-2.70187E-06
A10= 1.79925E-07 
【０１１５】
表  ３（各種データ）
ズーム比     4.54235
広角      中間      望遠
焦点距離       4.7866   10.0154   21.7424
Ｆナンバー     2.40244   3.16366   4.84039
画角        41.0250   21.8816   10.1853
像高         3.5600    3.9000    3.9000
レンズ全長     48.7835   42.0616   48.0126
ＢＦ        3.88128   5.01692   5.17959
d2           0.2508    3.0722    5.8028 
d8          22.1323    7.7832    0.5039 
d19          2.6591    6.3293   16.6663 
d21          2.9813    4.1170    4.3042 
入射瞳位置     12.5040   15.8077   19.3686
射出瞳位置    -11.6118  -20.9753 -150.8812
前側主点位置   15.8118   21.9639   38.0818
後側主点位置   43.9969   32.0462   26.2702
【０１１６】
表  ４（単レンズデータ）
レンズ     始面     焦点距離
1         1       39.8786
2         3      -13.3260
3         5      -13.0648
4         7       21.0851
5         9        8.4843
6        11        6.9643
7        13       -3.8010
8        16      -33.2948
9        18       14.7733
10        20       24.9695
【０１１７】
表  ５（ズームレンズ群データ）
群   始面    焦点距離  レンズ構成長    前側主点位置  後側主点位置
1      1    39.87859     2.42900         0.26288       1.38430
2      3    -9.57293     6.45300         0.57604       1.79012
3      9    12.47936     9.70200         0.89986       0.23313
4     20    24.96952     1.27600        -0.32150       0.16967
【０１１８】
表  ６（ズームレンズ群倍率）
1      1    0.00000    0.00000    0.00000
2      3   -0.33667   -0.37376   -0.41836
3      9   -0.44551   -0.89027   -1.74168
4     20    0.80025    0.75477    0.74826
【０１１９】
（数値実施例２）
数値実施例２のズームレンズ系は、図４に示した実施の形態２に対応する。数値実施例２のズームレンズ系の面データを表７に、非球面データを表８に、各種データを表９に、単レンズデータを表１０に、ズームレンズ群データを表１１に、ズームレンズ群倍率を表１２に示す。
【０１２０】
表  ７（面データ）
面番号         r           d           nd         vd
物面             ∞
1         26.21600     0.50000     1.99000    19.0 
2         18.18000     0.01000     1.56732    42.8 
3         18.18000     3.21800     1.88300    40.8 
4         92.50300        可変
5*        33.92600     0.40000     1.88300    40.8 
6*         7.70500     3.11600 
7       -200.00000     0.50000     1.88237    40.8 
8          9.80200     1.29700 
9         13.12700     1.79100     1.99000    19.0 
10         55.26400        可変
11*         7.74600     1.53700     1.84075    41.6 
12        282.98100     0.15000 
13          6.51100     1.80300     1.72141    51.5 
14        -13.24500     0.00800     1.56732    42.8 
15        -13.24500     0.30000     1.91333    30.2 
16          4.60600     1.44200 
17(絞り)           ∞     1.70400
18*        -5.24200     0.40000     1.60770    47.8 
19*        -8.58700     0.10000 
20         17.82200     1.50100     1.48700    82.0 
21         -9.15600        可変
22*         8.25400     1.19500     1.48714    82.0 
23*        16.35200        可変
像面             ∞
【０１２１】
表  ８（非球面データ）
第5面
K= 0.00000E+00, A4=-2.81259E-04, A6= 6.17760E-06, A8=-7.73502E-08
A10= 3.26589E-10 
第6面
K= 0.00000E+00, A4=-3.15341E-04, A6=-5.45723E-06, A8= 2.18153E-07
A10=-5.06461E-09 
第11面
K= 0.00000E+00, A4=-3.66737E-05, A6=-6.96061E-06, A8= 6.76429E-07
A10=-2.83645E-08 
第18面
K= 0.00000E+00, A4= 5.69582E-03, A6=-1.65211E-04, A8=-3.59569E-06
A10= 4.26675E-08 
第19面
K= 0.00000E+00, A4= 5.13051E-03, A6=-1.88291E-04, A8= 0.00000E+00
A10= 0.00000E+00 
第22面
K= 0.00000E+00, A4=-5.79573E-04, A6= 2.86286E-05, A8=-7.17748E-07
A10= 0.00000E+00 
第23面
K= 0.00000E+00, A4=-5.45657E-04, A6= 3.58017E-05, A8=-8.85125E-07
A10= 0.00000E+00 
【０１２２】
表  ９（各種データ）
ズーム比     8.74684
広角      中間      望遠
焦点距離       4.4072   13.0564   38.5491
Ｆナンバー     2.67906   3.63814   5.50315
画角        43.3093   16.8058    5.6653
像高         3.5600    3.9000    3.9000
レンズ全長     52.5477   51.9250   65.1990
ＢＦ        4.97926   8.41408   5.54771
d4           0.2508   10.0642   18.9272 
d10         22.7508    6.6340    0.5008 
d21          3.5948    5.8407   19.2513 
d23          4.0474    7.4741    4.6816 
入射瞳位置     12.6459   33.5503   72.9609
射出瞳位置     -9.7505  -13.5986  -71.0864
前側主点位置   15.7345   38.8625   92.1187
後側主点位置   48.1405   38.8686   26.6499
【０１２３】
表  １０（単レンズデータ）
レンズ     始面     焦点距離
1         1      -61.8216
2         3       25.1152
3         5      -11.3714
4         7      -10.5779
5         9       17.0302
6        11        9.4484
7        13        6.2915
8        15       -3.7121
9        18      -23.1921
10        20       12.6506
11        22       32.6361
【０１２４】
表  １１（ズームレンズ群データ）
群   始面    焦点距離  レンズ構成長    前側主点位置  後側主点位置
1      1    43.48100     3.72800        -0.87669       0.93857
2      5    -8.23632     7.10400         0.59525       1.76394
3     11    12.81469     8.94500         0.69607       0.87156
4     22    32.63613     1.19500        -0.78127      -0.35277
【０１２５】
表  １２（ズームレンズ群倍率）
群   始面    広角       中間       望遠
1      1    0.00000    0.00000    0.00000
2      5   -0.26057   -0.37789   -0.63685
3     11   -0.48624   -1.14375   -1.77885
4     22    0.80001    0.69476    0.78259
【０１２６】
（数値実施例３）
数値実施例３のズームレンズ系は、図７に示した実施の形態３に対応する。数値実施例３のズームレンズ系の面データを表１３に、非球面データを表１４に、各種データを表１５に、単レンズデータを表１６に、ズームレンズ群データを表１７に、ズームレンズ群倍率を表１８に示す。
【０１２７】
表  １３（面データ）
面番号         r           d           nd         vd
物面             ∞
1         22.96500     3.33300     1.65368    59.1 
2        179.71200        可変
3      -1718.22800     0.40000     1.67154    57.3 
4          7.65800     3.39200 
5*        80.38500     0.50000     1.69384    53.1 
6*        11.18300     1.65000 
7         14.83800     1.32200     1.93902    25.0 
8         39.23100        可変
9          7.58500     2.25300     1.85318    30.2 
10         65.22800     0.15700 
11*         8.67800     1.77900     1.77200    50.0 
12        -25.94900     0.00800     1.56732    42.8 
13        -25.94900     0.30000     1.92639    20.8 
14          5.19600     1.63500 
15(絞り)           ∞     1.47300
16*       -11.24200     0.40000     1.50379    67.4 
17*       -20.45500     0.10000 
18         30.80700     1.27200     1.48700    82.0 
19        -13.25000        可変
20         16.60800     1.11400     1.82613    23.9 
21        111.90200        可変
像面             ∞
【０１２８】
表  １４（非球面データ）
第5面
K= 0.00000E+00, A4=-1.35325E-04, A6= 9.21890E-07, A8= 5.32851E-08
A10=-7.43092E-10 
第6面
K= 0.00000E+00, A4=-2.57646E-04, A6=-1.83474E-06, A8= 1.26617E-07
A10=-2.03744E-09 
第11面
K= 0.00000E+00, A4=-2.96873E-04, A6= 1.43464E-07, A8=-1.07913E-06
A10= 4.06193E-08 
第16面
K= 0.00000E+00, A4= 2.21390E-05, A6=-9.44767E-06, A8= 0.00000E+00
A10= 0.00000E+00 
第17面
K= 0.00000E+00, A4= 7.98058E-05, A6=-6.02891E-06, A8= 0.00000E+00
A10= 0.00000E+00 
【０１２９】
表  １５（各種データ）
ズーム比     4.64640
広角      中間      望遠
焦点距離       5.3507    8.5305   24.8617
Ｆナンバー     1.97246   2.24636   3.35695
画角        36.8515   25.4297    8.9346
像高         3.5600    3.9000    3.9000
レンズ全長     52.9412   48.5383   54.7316
ＢＦ        6.46405   7.55581   8.50477
d2           0.3508    3.6006   11.2367 
d8          22.3793   12.4426    0.5008 
d19          2.6591    3.8513   13.4013 
d21          5.5441    6.6294    7.6038 
入射瞳位置     14.5422   20.0537   38.9958
射出瞳位置     -8.0381  -10.2366  -54.2795
前側主点位置   17.9187   24.4943   54.0126
後側主点位置   47.5905   40.0078   29.8699
【０１３０】
表  １６（単レンズデータ）
レンズ     始面     焦点距離
1         1       39.9436
2         3      -11.3520
3         5      -18.7776
4         7       24.7637
5         9        9.8823
6        11        8.6167
7        13       -4.6516
8        16      -50.2756
9        18       19.2065
10        20       23.4829
【０１３１】
表  １７（ズームレンズ群データ）
群   始面    焦点距離  レンズ構成長    前側主点位置  後側主点位置
1      1    39.94361     3.33300        -0.29283       1.04146
2      3   -10.25482     7.26400         0.13669       0.86783
3      9    14.23150     9.37700        -0.59385       0.82964
4     20    23.48292     1.11400        -0.10576       0.40142
【０１３２】
表  １８（ズームレンズ群倍率）
群   始面    広角       中間       望遠
1      1    0.00000    0.00000    0.00000
2      3   -0.38108   -0.43343   -0.63997
3      9   -0.50623   -0.76052   -1.60098
4     20    0.69439    0.64790    0.60749
【０１３３】
（数値実施例４）
数値実施例４のズームレンズ系は、図１０に示した実施の形態４に対応する。数値実施例４のズームレンズ系の面データを表１９に、非球面データを表２０に、各種データを表２１に、単レンズデータを表２２に、ズームレンズ群データを表２３に、ズームレンズ群倍率を表２４に示す。
【０１３４】
表  １９（面データ）
面番号         r           d           nd         vd
物面             ∞
1         27.51300     0.40000     1.88300    40.8 
2          8.81800     3.80100 
3*        62.56100     0.50000     1.85400    40.4 
4*         8.65700     2.65900 
5         16.09100     3.41900     1.98580    19.1 
6         57.74800        可変
7          6.86700     2.40400     1.65547    40.2 
8        112.14000     0.15000 
9*         7.28200     2.17000     1.76801    49.2 
10        -12.16400     0.00800     1.56732    42.8 
11        -12.16400     0.30000     1.91084    29.6 
12          4.78900     1.57100 
13(絞り)           ∞     1.33800
14*        -7.85900     0.40000     1.68893    31.1 
15*       -11.85000     0.10000 
16         10.50600     1.42500     1.49480    80.5 
17        -17.73200        可変
18         10.23700     1.50000     1.48700    82.0 
19         47.86500        可変
像面             ∞
【０１３５】
表  ２０（非球面データ）
第3面
K= 4.81915E+00, A4= 3.46941E-04, A6=-1.05286E-05, A8= 1.98691E-07
A10=-1.39198E-09 
第4面
K= 0.00000E+00, A4= 1.47872E-04, A6=-1.59511E-05, A8= 3.38338E-07
A10=-3.56802E-09 
第9面
K= 0.00000E+00, A4=-2.54018E-04, A6=-7.77061E-06, A8=-3.05015E-07
A10= 4.38948E-09 
第14面
K= 0.00000E+00, A4= 5.53123E-03, A6=-1.72108E-04, A8= 2.25238E-06
A10=-1.26780E-07 
第15面
K= 0.00000E+00, A4= 5.19401E-03, A6=-1.40377E-04, A8= 0.00000E+00
A10= 0.00000E+00 
【０１３６】
表  ２１（各種データ）
ズーム比     5.04495
広角      中間      望遠
焦点距離       3.4068    7.6604   17.1870
Ｆナンバー     2.06260   3.13606   5.59286
画角        51.6200   28.5778   12.8972
像高         3.5600    3.9000    3.9000
レンズ全長     53.9727   44.9594   54.5285
ＢＦ        5.06756   5.24435   5.00249
d6          24.1010    7.6281    0.5008 
d17          2.6591    9.9419   26.8802 
d19          4.1367    4.2982    4.1141 
入射瞳位置      8.7001    7.8293    7.1424
射出瞳位置     -8.0213  -25.6001  242.5247
前側主点位置   11.2202   13.5872   25.5731
後側主点位置   50.5659   37.2989   37.3415
【０１３７】
表  ２２（単レンズデータ）
レンズ     始面     焦点距離
1         1      -14.8457
2         3      -11.8155
3         5       21.7421
4         7       11.0599
5         9        6.2331
6        11       -3.7410
7        14      -35.3148
8        16       13.5596
9        18       26.3947
【０１３８】
表  ２３（ズームレンズ群データ）
群   始面    焦点距離  レンズ構成長    前側主点位置  後側主点位置
1      1    -9.94520    10.77900         0.64717       2.35908
2      7    13.27739     9.86600         0.26957       1.32671
3     18    26.39474     1.50000        -0.27090       0.23336
【０１３９】
表  ２４（ズームレンズ群倍率）
群   始面    広角       中間       望遠
1      1    0.00000    0.00000    0.00000
2      7   -0.45072   -1.02249   -2.26650
3     18    0.76002    0.75332    0.76249
【０１４０】
（数値実施例５）
数値実施例５のズームレンズ系は、図１３に示した実施の形態５に対応する。数値実施例５のズームレンズ系の面データを表２５に、非球面データを表２６に、各種データを表２７に、単レンズデータを表２８に、ズームレンズ群データを表２９に、ズームレンズ群倍率を表３０に示す。
【０１４１】
表  ２５（面データ）
面番号         r           d           nd         vd
物面             ∞
1         33.07800     3.36100     1.88467    40.0 
2        187.67800        可変
3        243.88800     0.40000     1.86731    41.6 
4          8.61100     3.11600 
5*        33.44100     0.50000     1.69384    53.1 
6*         8.22500     2.69300 
7         13.74400     1.38600     1.96213    20.9 
8         28.06900        可変
9          7.59800     1.56000     1.88723    38.8 
10         96.35200     0.15000 
11*         7.91600     2.04000     1.77200    50.0 
12        -15.52400     0.00800     1.56732    42.8 
13        -15.52400     0.30000     1.92748    27.0 
14          4.66600     1.33300 
15(絞り)           ∞     1.97500
16*        -5.46000     0.40000     1.53704    51.0 
17*        -7.88100     0.10000 
18         19.66200     1.36600     1.48716    81.8 
19         -9.92200        可変
20         11.18300     1.79300     1.50177    68.8 
21        133.12300        可変
像面             ∞
【０１４２】
表  ２６（非球面データ）
第5面
K= 4.81915E+00, A4=-1.52082E-04, A6= 2.33654E-06, A8= 5.39756E-08
A10=-9.02184E-10 
第6面
K= 0.00000E+00, A4=-3.71267E-04, A6=-2.17506E-06, A8= 1.96115E-07
A10=-3.69473E-09 
第11面
K= 0.00000E+00, A4=-2.24963E-04, A6= 1.95144E-06, A8=-1.85152E-06
A10= 1.15426E-07 
第16面
K= 0.00000E+00, A4= 3.66678E-03, A6=-7.67127E-05, A8=-2.55219E-06
A10= 1.02005E-07 
第17面
K= 0.00000E+00, A4= 3.36746E-03, A6=-9.35689E-05, A8= 0.00000E+00
A10= 0.00000E+00 
【０１４３】
表  ２７（各種データ）
ズーム比     4.54469
広角      中間      望遠
焦点距離       3.9875    8.1352   18.1220
Ｆナンバー     2.60838   3.50685   5.45930
画角        46.1998   26.5603   12.2314
像高         3.5600    3.9000    3.9000
レンズ全長     53.9504   45.9622   53.7362
ＢＦ        3.58967   4.49925   5.57926
d2           0.2508    1.7775    4.8058 
d8          23.2415    8.3095    0.5008 
d19          4.3874    8.8950   20.3693 
d21          2.6840    3.5953    4.6861 
入射瞳位置     11.7203   13.0159   17.1006
射出瞳位置    -13.9274  -28.4899 8364.3130
前側主点位置   14.8001   19.1450   35.2618
後側主点位置   49.9629   37.8270   35.6142
【０１４４】
表  ２８（単レンズデータ）
レンズ     始面     焦点距離
1         1       44.9318
2         3      -10.2999
3         5      -15.8496
4         7       26.7226
5         9        9.2207
6        11        7.0587
7        13       -3.8407
8        16      -35.1233
9        18       13.7442
10        20       24.2120
【０１４５】
表  ２９（ズームレンズ群データ）
群   始面    焦点距離  レンズ構成長    前側主点位置  後側主点位置
1      1    44.93181     3.36100        -0.37771       1.21797
2      3    -8.45713     8.09500         0.22962       0.90368
3      9    12.92145     9.23200         0.95271       0.96077
4     20    24.21203     1.79300        -0.10896       0.49595
【０１４６】
表  ３０（ズームレンズ群倍率）
群   始面    広角       中間       望遠
1      1    0.00000    0.00000    0.00000
2      3   -0.24983   -0.26163   -0.28868
3      9   -0.44504   -0.90984   -1.95132
4     20    0.79817    0.76060    0.71600
【０１４７】
（数値実施例６）
数値実施例６のズームレンズ系は、図１６に示した実施の形態６に対応する。数値実施例６のズームレンズ系の面データを表３１に、非球面データを表３２に、各種データを表３３に、単レンズデータを表３４に、ズームレンズ群データを表３５に、ズームレンズ群倍率を表３６に示す。
【０１４８】
表  ３１（面データ）
面番号         r           d           nd         vd
物面             ∞
1         21.76900     2.69100     1.70196    55.4 
2        760.72500        可変
3        398.94100     0.40000     1.68301    56.7 
4          7.95900     3.35900 
5*      -143.97600     0.50000     1.69384    53.1 
6*        13.38800     1.55500 
7         12.30300     1.04100     1.99000    19.0 
8         19.96600        可変
9          8.79600     1.63300     1.90935    24.0 
10        154.40800     0.15000 
11*         8.93400     1.63500     1.77200    50.0 
12        -18.79700     0.00800     1.56732    42.8 
13        -18.79700     0.30000     1.91586    20.2 
14          5.66400     1.43000 
15(絞り)           ∞     1.73100
16*        -6.87300     0.40000     1.54515    52.9 
17*       -12.32100     0.10000 
18         38.39300     1.51300     1.52453    75.5 
19         -8.56900        可変
20        -97.96800     0.50000     1.52501    70.3 
21         20.26200        可変
22         11.29900     1.58700     1.90813    31.5 
23         70.36800        可変
像面             ∞
【０１４９】
表  ３２（非球面データ）
第5面
K= 4.81915E+00, A4=-1.21714E-04, A6= 1.78239E-06, A8= 4.64027E-08
A10=-8.88492E-10 
第6面
K= 0.00000E+00, A4=-1.00118E-04, A6= 2.42593E-07, A8= 1.17142E-07
A10=-1.80097E-09 
第11面
K= 0.00000E+00, A4=-1.35671E-04, A6= 1.43215E-06, A8=-9.27794E-07
A10= 4.72578E-08 
第16面
K= 0.00000E+00, A4= 6.27422E-04, A6=-1.83309E-05, A8= 0.00000E+00
A10= 0.00000E+00 
第17面
K= 0.00000E+00, A4= 7.45076E-04, A6=-1.48304E-05, A8= 0.00000E+00
A10= 0.00000E+00 
【０１５０】
表  ３３（各種データ）
ズーム比     4.67974
広角      中間      望遠
焦点距離       5.4611   11.0999   25.5564
Ｆナンバー     2.50283   3.14065   4.63821
画角        36.9761   19.9589    8.7725
像高         3.5600    3.9000    3.9000
レンズ全長     53.9448   49.1666   53.4744
ＢＦ        5.69280   6.04192   5.86093
d2           0.2508    3.6323    6.4315 
d8          22.0066    9.2968    0.5008 
d19          2.6822    6.9034   17.7393 
d21          2.7794    2.7592    2.4089 
d23          4.7544    5.0946    4.8407 
入射瞳位置     13.8985   19.8592   24.5511
射出瞳位置    -19.9086  -42.5845  352.0867
前側主点位置   18.1946   28.4253   51.9940
後側主点位置   48.4837   38.0668   27.9180
【０１５１】
表  ３４（単レンズデータ）
レンズ     始面     焦点距離
1         1       31.8773
2         3      -11.8950
3         5      -17.6308
4         7       30.3296
5         9       10.2027
6        11        8.0511
7        13       -4.7246
8        16      -29.2712
9        18       13.5052
10        20      -31.9333
11        22       14.6348
【０１５２】
表  ３５（ズームレンズ群データ）
群   始面    焦点距離  レンズ構成長    前側主点位置  後側主点位置
1      1    31.87726     2.69100        -0.04651       1.06575
2      3    -9.01579     6.85500         0.73418       1.70094
3      9    13.63506     8.90000         1.74587       1.82634
4     20   -31.93328     0.50000         0.27128       0.44389
5     22    14.63485     1.58700        -0.15708       0.60871
【０１５３】
表  ３６（ズームレンズ群倍率）
群   始面    広角       中間       望遠
1      1    0.00000    0.00000    0.00000
2      3   -0.44520   -0.53444   -0.64076
3      9   -0.48179   -0.83162   -1.59318
4     20    1.46778    1.50576    1.47434
5     22    0.54416    0.52031    0.53268
【０１５４】
以下の表３７に、各数値実施例のズームレンズ系における各条件の対応値を示す。
【０１５５】
表３７（条件の対応値）
【表１】
2012042927.tif 000004
【産業上の利用可能性】
【０１５６】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置やカメラシステムに適用可能であり、特にデジタルカメラ等の高画質が要求される撮影光学系に好適である。
【符号の説明】
【０１５７】
ＧＡ    前群
ＧＢ    後群
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ａ      開口絞り
Ｓ      像面
１      ズームレンズ系
２      撮像素子
３      液晶モニタ
４      筐体
５      主鏡筒
６      移動鏡筒
７      円筒カム
８      像ぶれ補正レンズ用駆動装置
【図１】
2012042927.tif 000005
【図２】
2012042927.tif 000006
【図３】
2012042927.tif 000007
【図４】
2012042927.tif 000008
【図５】
2012042927.tif 000009
【図６】
2012042927.tif 000010
【図７】
2012042927.tif 000011
【図８】
2012042927.tif 000012
【図９】
2012042927.tif 000013
【図１０】
2012042927.tif 000014
【図１１】
2012042927.tif 000015
【図１２】
2012042927.tif 000016
【図１３】
2012042927.tif 000017
【図１４】
2012042927.tif 000018
【図１５】
2012042927.tif 000019
【図１６】
2012042927.tif 000020
【図１７】
2012042927.tif 000021
【図１８】
2012042927.tif 000022
【図１９】
2012042927.tif 000023